(57)【特許請求の範囲】
【請求項１】
楽曲を再生する機能を有する携帯電話装置における楽曲再生方法であって、
楽曲データを記憶する記憶手段から前記楽曲データを読み出し、該楽曲データに基づいて楽曲を再生し、該楽曲の再生に伴って、前記携帯電話装置本体の振れ状態を随時検出すると共に、検出された前記携帯電話装置の振れ状態に応じて随時楽曲の再生態様を変更することを特徴とする楽曲再生方法。
【請求項２】
検出された前記携帯電話装置本体の振れ周期に応じて、前記記憶手段より読み出された前記楽曲データのテンポを示すテンポデータを変更することを特徴とする請求項１に記載の楽曲再生方法。
【請求項３】
検出された前記携帯電話装置本体の振れの大きさに応じて、前記記憶手段より読み出された前記楽曲データの音量を示す音量データを変更することを特徴とする請求項１に記載の楽曲再生方法。
【請求項４】
前記変更された楽曲データを新たな楽曲データとして前記記憶手段に登録することを特徴とする請求項２または３に記載の楽曲再生方法。
【請求項５】
前記携帯電話装置本体に搭載された地磁気センサの地磁気検出出力から前記携帯電話装置本体の振れ状態を検出することを特徴とする請求項１ないし４のいずれかに記載の楽曲再生方法。
【請求項６】
楽曲を再生する機能を有する携帯電話装置であって、
楽曲データを記憶する記憶手段と、
前記楽曲データを読み出し、該楽曲データに基づいて楽曲を再生する楽曲再生手段と、
楽曲の再生に伴って、前記携帯電話装置本体の振れ状態を随時検出する振れ状態検出手段と、
前記振れ状態検出手段により検出された前記携帯電話装置本体の振れ状態に応じて随時楽曲の再生態様を変更する制御手段と、
を有することを特徴とする携帯電話装置。
【請求項７】
前記振れ状態検出手段は振れの周期を検出するものであって、
前記制御手段は、前記振れ状態検出手段により検出された振れ周期に応じて、読み出された前記楽曲データのテンポを示すテンポデータを変更することを特徴とする請求項６に記載の携帯電話装置。
【請求項８】
前記振れ状態検出手段は振れの大きさを検出するものであって、
前記制御手段は、前記振れ状態検出手段により検出された振れの大きさに応じて、読み出された前記楽曲データの音量を示す音量データを変更することを特徴とする請求項６に記載の携帯電話装置。
【請求項９】
前記制御手段により変更された楽曲データを新たな楽曲データとして前記記憶手段に登録する登録手段をさらに具備することを特徴とする請求項７または８に記載の携帯電話装置。
【請求項１０】
前記振れ検出手段は地磁気センサであり、該地磁気センサの地磁気検出出力から前記携帯電話装置本体の振れ状態を検出することを特徴とする請求項６ないし９のいずれかに記載の携帯電話装置。
【発明の詳細な説明】
【０００１】
【発明の属する技術分野】
本発明は携帯電話装置に係り、特に着信メロディ等の楽曲を再生し、または編集する機能のいずれか一方もしくは双方を有する携帯電話装置に関する。
【０００２】
【従来の技術】
楽曲の再生、編集機能を有する従来の携帯電話装置にあっては、内蔵されたメモリにプリセットされた着信メロディ等の楽曲、または外部より配信された楽曲のテンポや音量を変更するのは困難であり、変更できたとしても曲として一律に変更することしかできなかった。
これは、自作曲についても同様に曲として一律に変更することしかできなかった。
【０００３】
【発明が解決しようとする課題】
上述したように従来の携帯電話装置にあっては、再生され、または編集される楽曲のテンポや音量を変更できないのが一般的であり、たとえ、変更できたとしても、曲として一律にしか変更できないために、楽曲の編集中に、「ここでちょっと音量を大きくしたい」、「ここでテンポを早くしたい」等の要望を反映することができず、好みの楽曲を作ることができないという問題が有った。
【０００４】
また、音楽的に単調な楽曲を携帯電話装置のユーザの好みに合わせて変えたいという欲求が満たされないという問題も有った。
本発明はこのような事情に鑑みてなされたものであり、任意にテンポや音量を変更して楽曲の再生及び編集をすることができる携帯電話装置を提供することを目的とする。
【０００５】
【課題を解決するための手段】
上記目的を達成するために請求項１に記載の発明は、楽曲を再生する機能を有する携帯電話装置における楽曲再生方法であって、楽曲データを記憶する記憶手段から前記楽曲データを読み出し、該楽曲データに基づいて楽曲を再生し、該楽曲の再生に伴って、前記携帯電話装置本体の振れ状態を随時検出すると共に、検出された前記携帯電話装置の振れ状態に応じて随時楽曲の再生態様を変更することを特徴とする。
【０００６】
また、請求項２に記載の発明は、請求項１に記載の楽曲再生方法において、検出された前記携帯電話装置本体の振れ周期に応じて、前記記憶手段より読み出された前記楽曲データのテンポを示すテンポデータを変更することを特徴とする。
【０００７】
また、請求項３に記載の発明は、請求項１に記載の楽曲再生方法において、検出された前記携帯電話装置本体の振れの大きさに応じて、前記記憶手段より読み出された前記楽曲データの音量を示す音量データを変更することを特徴とする。
【０００８】
また、請求項４に記載の発明は、請求項２または３に記載の楽曲再生方法において、前記変更された楽曲データを新たな楽曲データとして前記記憶手段に登録することを特徴とする。
【０００９】
請求項１乃至３に記載の発明によれば、楽曲を再生する機能を有する携帯電話装置における楽曲再生方法であって、楽曲データを記憶する記憶手段から前記楽曲データを読み出し、該楽曲データに基づいて楽曲を再生し、該楽曲の再生に伴って、前記携帯電話装置本体の振れ状態を随時検出すると共に、検出された前記携帯電話装置の振れ状態に応じて随時楽曲の再生態様を変更するようにしたので、任意にテンポや音量を変更して楽曲の再生及び編集をすることができる。すなわち、携帯電話装置のユーザが指揮者になって着信メロディ等の楽曲のテンポや音量を変化させることができる。
また、請求項４に記載の発明によれば、携帯電話装置本体の振れ状態に応じて再生態様を変更するために変更された楽曲データを新たな楽曲データとして楽曲データを記憶する記憶手段に登録するようにしたので、請求項２または３に記載の発明により得られる効果に加えて、テンポ、音量を任意に変更させた楽曲ファイルを作成することができる。
【００１０】
また、請求項５に記載の発明は、請求項１ないし４のいずれかに記載の楽曲再生方法において、前記携帯電話装置本体に搭載された地磁気センサの地磁気検出出力から前記携帯電話装置本体の振れ状態を検出することを特徴とする。
【００１１】
請求項５に記載の発明によれば、携帯電話装置の方位を検出するために元々、搭載されている方位センサとしての地磁気センサを携帯電話装置本体の振れ状態を検出する振れ状態検出手段として兼用するようにしたので、新たに携帯電話装置本体の振れ状態を検出するセンサを別設する必要がなく、コストの低減が図れる。
【００１２】
また、請求項６に記載の発明は、楽曲を再生する機能を有する携帯電話装置であって、楽曲データを記憶する記憶手段と、前記楽曲データを読み出し、該楽曲データに基づいて楽曲を再生する楽曲再生手段と、楽曲の再生に伴って、前記携帯電話装置本体の振れ状態を随時検出する振れ状態検出手段と、前記振れ状態検出手段により検出された前記携帯電話装置本体の振れ状態に応じて随時楽曲の再生態様を変更する制御手段とを有することを特徴とする。
【００１３】
また、請求項７に記載の発明は、請求項６に記載の携帯電話装置において、前記振れ状態検出手段は振れの周期を検出するものであって、前記制御手段は、前記振れ状態検出手段により検出された振れ周期に応じて、読み出された前記楽曲データのテンポを示すテンポデータを変更することを特徴とする。
【００１４】
また、請求項８に記載の発明は、請求項６に記載の携帯電話装置において、前記振れ状態検出手段は振れの大きさを検出するものであって、前記制御手段は、前記振れ状態検出手段により検出された振れの大きさに応じて、読み出された前記楽曲データの音量を示す音量データを変更することを特徴とする。
【００１５】
また、請求項９に記載の発明は、請求項７または８に記載の携帯電話装置において、前記制御手段により変更された楽曲データを新たな楽曲データとして前記記憶手段に登録する登録手段をさらに具備することを特徴とする。
【００１６】
請求項６乃至８に記載の発明によれば、楽曲を再生する機能を有する携帯電話装置であって、楽曲データを記憶する記憶手段と、前記楽曲データを読み出し、該楽曲データに基づいて楽曲を再生する楽曲再生手段と、楽曲の再生に伴って、前記携帯電話装置本体の振れ状態を随時検出する振れ状態検出手段と、前記振れ状態検出手段により検出された前記携帯電話装置本体の振れ状態に応じて随時楽曲の再生態様を変更する制御手段とを有するので、任意にテンポや音量を変更して楽曲の再生及び編集をすることができる。すなわち、携帯電話装置のユーザが指揮者になって着信メロディ等の楽曲のテンポや音量を変化させることができる。
また、請求項９に記載の発明によれば、請求項７または８に記載の携帯電話装置において、前記制御手段により変更された楽曲データを新たな楽曲データとして前記記憶手段に登録する登録手段をさらに具備するので、請求項７または８に記載の発明により得られる効果に加えて、テンポ、音量を任意に変更させた楽曲ファイルを作成することができる。
【００１７】
また、請求項１０に記載の発明は、請求項６ないし９のいずれかに記載の携帯電話装置において、前記振れ検出手段は地磁気センサであり、該地磁気センサの地磁気検出出力から前記携帯電話装置本体の振れ状態を検出することを特徴とする。
【００１８】
請求項１０に記載の発明によれば、携帯電話装置の方位を検出するために元々、搭載されている方位センサとしての地磁気センサを携帯電話装置本体の振れ状態を検出する振れ状態検出手段として兼用するようにしたので、新たに携帯電話装置本体の振れ状態を検出するセンサを別設する必要がなく、コストの低減が図れる。
【００１９】
【発明の実施の形態】
以下、本発明の実施の形態を、図面を参照して詳細に説明する。本発明の実施の形態に係る携帯電話装置の電気的構成を図１に示す。同図において、携帯電話機１は、各種プログラムを実行することにより電話機、あるいは、ゲーム機、音楽再生機等としての機能を有するように各部の動作を制御するＣＰＵ１００と、各種データ及び固定データが格納されるＲＯＭ１０２と、ＲＡＭ１０４と、操作入力部１０６と、ＧＰＳモジュール１０８と、ＸＹ２軸地磁気センサ１１０と、無線通信部１１２と、音声コーデック（ＣＯＤＥＣ）１１４と、楽曲再生部１１６と、表示部１１８と、インターフェース（Ｉ／Ｆ）１２０と、マイク１２２と、受話用スピーカ１２４と、着信用スピーカ１２６とを有している。
【００２０】
ＲＯＭ１０２には、各種プログラムの他に、着信メロディ用の楽曲シーケンスデータ等の固定データや、ゲームソフト等のアプリケーションプログラムが記憶されている。
さらに、ＲＯＭ１０２にはＸＹ２軸地磁気センサ１１０の出力である磁界を角度に変換するための磁界と角度との関係を示す磁界／角度変換テーブルが格納されている。
【００２１】
また、ＲＡＭ１０４には、インターネット等のネットワークを介してダウンロードした各種データ、またはインターフェース１２０を介して外部のオーディオ機器から取り込んだ楽曲シーケンスデータ等のデータが格納されるようになっている。
操作入力部１０６は、通話を開始する際に使用する開始キー、通話を終了する終了キー、数字キー、指揮者用キーを含む各種機能キー、電源キー等から構成されている。指揮者用キーは、楽曲再生部１１６で再生される楽曲のテンポ、または音量を変更するためのキーであり、例えば、このキーの操作速度（キーの操作周期）により再生中の楽曲のテンポを変更することができる。
【００２２】
ＧＰＳモジュール１０８は、所定時間毎に、複数（３個以上）のＧＰＳ衛星からの位置測定用の電波を受信し、その生データをＧＰＳ基地局に送信し、ＧＰＳ基地局から測位演算結果を受信してＲＡＭ１０４の所定のメモリエリアに格納し、更新する機能を有している。
【００２３】
ＸＹ２軸地磁気センサ１１０は、自局の方位を検出するセンサであり、地磁気のＸ軸成分及びＹ軸成分の変化を電圧変化として検出するものである。
本実施の形態では、ＸＹ２軸地磁気センサ１１０の出力を、例えば、所定時間毎に検出し、その出力データをＲＡＭ１０４の所定のメモリエリアに格納し、更新する機能を有している。
【００２４】
無線通信部１１２は、アンテナ２０を介して受信する信号を復調し、外部に送信する信号を変調してアンテナ２０を介して送信する。
音声ＣＯＤＥＣ １１４は、無線通信部１１２から受け取った音声信号を復号して受話用スピーカに１２４に出力し、マイク１２２から入力された音声信号を圧縮符号化して無線通信部１１２に送出する。
【００２５】
楽曲再生部１１６は、着信時に着信を報知する着信メロディとしての楽曲を再生して着信用スピーカ１２６に出力し、あるいはＲＯＭ１０２またはＲＡＭ１０４に格納された楽曲シーケンスデータに基づいて楽曲を再生する。この楽曲シーケンスデータは、操作入力部１０６における指揮者用キーの出力及びＸＹ２軸地磁気センサ１１０の出力に基づいて変更されるようになっている。
【００２６】
表示部１１８は、各種データを表示する、例えば、液晶ディスプレイ（ＬＣＤ）である。インターフェース（Ｉ／Ｆ）１２０の入力端は、図示してない入力端子に接続されており、該入力端子を介して外部のオーディオ機器と接続して所望の楽曲データをＲＡＭ１０４に格納することができるようになっている。
【００２７】
ＣＰＵ１００、ＲＯＭ１０２、ＲＡＭ１０４、操作入力部１０６、ＧＰＳモジュール１０８、ＸＹ２軸地磁気センサ１１０、無線通信部１１２、音声ＣＯＤＥＣ１１４、楽曲再生部１１６、表示部１１８及びインターフェース（Ｉ／Ｆ）１２０は、バス９０を介して相互に接続されている。操作入力部は本発明の入力手段に、ＸＹ２軸地磁気センサ１１０は振れ状態検出手段に、ＣＰＵ１００は本発明の制御手段に、それぞれ相当する。
【００２８】
次に、ＸＹ２軸地磁気センサ１１０の電気的構成を図２に示す。同図において、ＸＹ２軸地磁気センサ１１０は、ＧＭＲ（Giant  Magneto  Resistive）回路１１１０と、電圧／磁界変換回路１１１１とを有している。
ＧＭＲ回路１１１０は、定電流バイアス回路１１１２と、地磁気のＸ成分を検出するＸ軸ＧＭＲ素子１１１３と、地磁気のＹ成分を検出するＹ軸ＧＭＲ素子１１１４とを有している。
【００２９】
また、定電流バイアス回路１１１２は、ＯＮ信号を受けてＸ軸ＧＭＲ素子１１１３及びＹ軸ＧＭＲ素子１１１４に一定電流を供給する。Ｘ軸ＧＭＲ素子１１１３、Ｙ軸ＧＭＲ素子１１１４は、磁気の変化に応じて抵抗値が変化する素子であり、これらの素子に一定電流をバイアスとして流すことにより、磁気の変化を電圧の変化として検出する。すなわち、ＸＹ２軸地磁気センサ１１０を構成するＸ軸ＧＭＲ素子１１１３、Ｙ軸ＧＭＲ素子１１１４が回転すると、地磁気のＸ軸成分、Ｙ軸成分が変化し、それが電圧変化として現れる。
【００３０】
また、水平面を基準としての角度（傾き）に応じても地磁気検出出力は変化する。本発明では、この特性を利用してＸＹ２軸地磁気センサ１１０を方位センサであると同時に、携帯電話装置１の水平面を基準とした傾斜角、すなわち、携帯電話装置本体の振れ状態を検出する振れ状態検出手段としても利用している。
電圧／磁界変換回路１１１１は、ＧＭＲ回路１１１０より出力される電圧を磁界に変換し、出力する機能を有している。
【００３１】
次に、図３にＲＯＭ１０２またはＲＡＭ１０４に格納されている楽曲シーケンスデータの内容を示す。楽曲シーケンスデータは、図３（Ａ）に示すように、基本データ、テンポデータ、デュレーションデータ及びイベントデータからなる。このうち、基本データは、当該楽曲シーケンスデータの楽曲名、歌唱者名、作詞者名、作曲者名、歌詞等のデータからなるデータである。
また、テンポデータはその楽曲のテンポを示すデータであり、デュレーションデータは、イベント間の時間間隔を表すデータである。
【００３２】
さらに、イベントデータは、図３（Ｂ）、（Ｃ）に示すように発音イベントデータとコントロールイベントデータの２種類に分類され、発音イベントデータは当該発音のピッチとゲートタイム（発音長）を表すデータで構成される（図３（Ｂ））。
また、コントロールイベントデータは、以降に発生する発音イベントに係る発音の音量、音色を決定するデータデータからなる。
【００３３】
次に、本発明の実施の形態に係る携帯電話装置による楽曲再生原理について図４を参照して説明する。図４は楽曲再生時におけるＣＰＵ１００の処理内容を概念的に示している。同図において、楽曲再生時には、楽曲シーケンスデータがＲＡＭ１０４またはＲＯＭ１０２より読み出され、この読み出された楽曲シーケンスデータに対して操作入力部１０６における指揮者用キーの操作状態あるいはＸＹ２軸地磁気センサ１１０の検出出力に基づいてテンポデータ、または音量データのいずれか一方、または双方が変更される。すなわち、上記楽曲シーケンスデータのうち元のテンポデータ、音量データの代わりに新たなテンポデータ、音量データが挿入され、置換される。
【００３４】
このようにしてテンポデータ、音量データのうちいずれか一方、または双方が変更された楽曲シーケンスデータが解釈され、テンポデータに基づいて楽曲のテンポを規定するテンポクロックを生成すると共に、デュレーションデータ、ゲートタイムデータの時間情報に基づいてピッチ、音量、音色等のデータを音源パラメータに変換し、楽曲再生部１１６内の音源に出力する。これにより楽曲再生部１１６では、テンポデータ、音量データが変更された状態で楽曲が再生されることとなる。
【００３５】
操作入力部１０６における指揮者用キーの操作状態、またはＸＹ２軸地磁気センサ１１０の検出出力により、テンポデータ、音量データを生成する手順を図５に示す。図５（Ａ）は指揮者用キーの操作状態からテンポデータを生成する手順を、図５（Ｂ）はＸＹ２軸地磁気センサ１１０の検出出力からテンポデータを生成する手順を、図５（Ｃ）はＸＹ２軸地磁気センサ１１０の検出出力から音量データを生成する手順を、それぞれ示している。
【００３６】
指揮者用キーの操作状態からテンポデータを生成する場合には、指揮者用キーが操作される周期、すなわちＯＮ周期を測定し、そのＯＮ周期をテンポデータに変換することにより、テンポデータを生成する。
ＸＹ２軸地磁気センサ１１０の検出出力からテンポデータを生成する場合には、ＸＹ２軸地磁気センサ１１０の検出出力は、磁界に比例した電圧として出力されるが、ＸＹ２軸地磁気センサ１１０により検出された磁界をＲＯＭ１０２に格納されている磁界／角度変換テーブルを参照してＸＹ２軸地磁気センサ１１０により検出された磁界を、水平面を基準とした角度に変換する。
【００３７】
次いで、携帯電話装置１の振れ周期を検出する。例えば、携帯電話装置１を上下に振ってリズムを刻んでいるとする。その際に携帯電話装置１が振れの最下段に達する時間間隔を角度変化から検出する。
さらに、検出された携帯電話装置１の振れ周期をテンポデータに変換することによりテンポデータを生成する。
【００３８】
また、ＸＹ２軸地磁気センサ１１０の検出出力から音量データを生成する場合には、まず、ＸＹ２軸地磁気センサ１１０により検出された磁界をＲＯＭ１０２に格納されている磁界／角度変換テーブルを参照してＸＹ２軸地磁気センサ１１０により検出された磁界を、水平面を基準とした角度に変換する。
この場合も上述した場合と同様に携帯電話装置１を上下に振ってリズムを刻んでいるとする。
【００３９】
この場合に携帯電話装置１の振れの最上段に対応する角度と、最下段に対応する角度との差分を検出する。この角度の差分の大きさ（角度変化量）を音量データに変換し、音量データとして出力する。
なお、音量データを生成する場合に指揮者用キーを操作する際におけるキーの押圧力を検出し、この押圧力に基づいて音量を決定するようにしてもよい。
【００４０】
次に、本発明の実施の形態に係る携帯電話装置の楽曲再生・編集時における動作を図６のフローチャートを参照して説明する。図６において、操作入力部１０６における指揮者用キーの操作状態の検出、携帯電話装置１の振れ状態が検出される（ステップ２００、３００）。この指揮者用キーの操作状態、ＸＹ２軸地磁気センサ１１０の検出出力に基づいて既述した手順（図５）により新たなテンポ、音量が検出される（ステップ２０１、３０１）。
【００４１】
次いで、ＲＯＭ１０２またはＲＡＭ１０４に格納されている元曲の楽曲シーケンスデータのうちテンポデータと検出されたテンポに基づくテンポデータとが比較される（ステップ２０３）。そして検出されたテンポのうち極端に変化するテンポについては無視し（ステップ２０４）、元曲のテンポデータに対して増減処理を行い、検出されたテンポに一致するテンポデータを生成する（ステップ２０５）。
【００４２】
他方、ＲＯＭ１０２またはＲＡＭ１０４に格納されている元曲の楽曲シーケンスデータのうち音量データとステップ３０１で検出された音量に基づく音量データとを比較し、元曲の音量データに対して増減処理を行い、検出された音量に一致する音量データを生成する（ステップ３０２）。
【００４３】
次いで、楽音が再生され（ステップ２０２）、この再生された楽音と、新たに生成されたテンポデータと、音量データとが合成され（ステップ２０６）、楽曲が再生される（ステップ２０７）。
また、楽曲編集時には、テンポデータ、音量データが変更された楽曲シーケンスデータがＲＡＭ１０４に格納される（ステップ２０８）。
【００４４】
本発明の実施の形態に係る携帯電話装置によれば、入力手段の操作状態または、携帯電話装置本体の振れ状態に応じて前記再生され、または編集される楽曲の楽曲シーケンスデータを変更するようにしたので、任意にテンポや音量を変更して楽曲の再生及び編集をすることができる。すなわち、携帯電話装置のユーザが指揮者になって着信メロディ等の楽曲のテンポや音量を変化させることができる。
【００４５】
また、本発明の実施の形態に係る携帯電話装置によれば、楽曲編集時に前記変更された楽曲シーケンスデータを新たな楽曲シーケンスデータとして登録するようにしたので、請求項１乃至４に記載の発明により得られる効果に加えて、テンポ、音量を任意に変更させた楽曲ファイルを作成することができる。
【００４６】
なお、本実施の形態に係る携帯電話装置１を、その振れ状態に基づいて放音することにより電子マラカス等の楽器として使用することができる。
さらに、携帯電話装置を電子打楽器にし、着信メロディ等の楽曲に合せて奏することにより、その音を付加した新しい楽曲を作成することができる。
また、本発明の実施の形態では、携帯電話装置１の振れ状態を検出するのに方位センサとして設けられているＸＹ２軸地磁気センサ１１０を利用することによりコストの低減を図っているが、これに限らず、振れ状態検出手段として加速度センサあるいは、振動センサを使用するようにしてもよい。
【００４７】
【発明の効果】
請求項１乃至３に記載の発明によれば、楽曲を再生する機能を有する携帯電話装置における楽曲再生方法であって、楽曲データを記憶する記憶手段から前記楽曲データを読み出し、該楽曲データに基づいて楽曲を再生し、該楽曲の再生に伴って、前記携帯電話装置本体の振れ状態を随時検出すると共に、検出された前記携帯電話装置の振れ状態に応じて随時楽曲の再生態様を変更するようにしたので、任意にテンポや音量を変更して楽曲の再生及び編集をすることができる。すなわち、携帯電話装置のユーザが指揮者になって着信メロディ等の楽曲のテンポや音量を変化させることができる。
また、請求項４に記載の発明によれば、携帯電話装置本体の振れ状態に応じて再生態様を変更するために変更された楽曲データを新たな楽曲データとして楽曲データを記憶する記憶手段に登録するようにしたので、請求項２または３に記載の発明により得られる効果に加えて、テンポ、音量を任意に変更させた楽曲ファイルを作成することができる。
【００４８】
請求項５に記載の発明によれば、携帯電話装置の方位を検出するために元々、搭載されている方位センサとしての地磁気センサを携帯電話装置本体の振れ状態を検出する振れ状態検出手段として兼用するようにしたので、新たに携帯電話装置本体の振れ状態を検出するセンサを別設する必要がなく、コストの低減が図れる。
【００４９】
請求項６乃至８に記載の発明によれば、楽曲を再生する機能を有する携帯電話装置であって、楽曲データを記憶する記憶手段と、前記楽曲データを読み出し、該楽曲データに基づいて楽曲を再生する楽曲再生手段と、楽曲の再生に伴って、前記携帯電話装置本体の振れ状態を随時検出する振れ状態検出手段と、前記振れ状態検出手段により検出された前記携帯電話装置本体の振れ状態に応じて随時楽曲の再生態様を変更する制御手段とを有するので、任意にテンポや音量を変更して楽曲の再生及び編集をすることができる。すなわち、携帯電話装置のユーザが指揮者になって着信メロディ等の楽曲のテンポや音量を変化させることができる。
また、請求項９に記載の発明によれば、請求項７または８に記載の携帯電話装置において、前記制御手段により変更された楽曲データを新たな楽曲データとして前記記憶手段に登録する登録手段をさらに具備するので、請求項７または８に記載の発明により得られる効果に加えて、テンポ、音量を任意に変更させた楽曲ファイルを作成することができる。
【００５０】
請求項１０に記載の発明によれば、携帯電話装置の方位を検出するために元々、搭載されている方位センサとしての地磁気センサを携帯電話装置本体の振れ状態を検出する振れ状態検出手段として兼用するようにしたので、新たに携帯電話装置本体の振れ状態を検出するセンサを別設する必要がなく、コストの低減が図れる。
【図面の簡単な説明】
【図１】  本発明の実施の形態に係る携帯電話装置の電気的構成を示すブロック図。
【図２】  図１に示した本発明の実施の形態に係る携帯電話装置におけるＸＹ２軸地磁気センサの構成を示すブロック図。
【図３】  楽曲シーケンスデータの構成を示す説明図。
【図４】  本発明の実施の形態に係る携帯電話装置による楽曲再生原理を概念的に示した説明図。
【図５】  図１に示した携帯電話装置における操作入力部における指揮者用キーの操作状態、またはＸＹ２軸地磁気センサの検出出力により、テンポデータ、音量データを生成する手順を示す説明図。
【図６】  本発明の実施の形態に係る携帯電話装置の楽曲再生・編集時における動作を示すフローチャート。
【符号の説明】
１…携帯電話装置、２０…アンテナ、１００…ＣＰＵ、１０２…ＲＯＭ、１０４…ＲＡＭ、１０６…操作入力部、１０８…ＧＰＳモジュール、１１０…ＸＹ２軸地磁気センサ、１１２…無線通信部、１１４…音声ＣＯＤＥＣ、１１６…楽曲再生部、１１８…表示部、１２０…インターフェース。１２２…マイク、１２４…受話用スピーカ、１２６…着信用スピーカ、１１１０…ＧＭＲ回路、１１１１…電圧／磁界変換回路、１１１２…定電流バイアス回路、１１１３…Ｘ軸ＧＭＲ素子、１１１４…Ｙ軸ＧＭＲ素子
【図１】
0003659206.tif 000002
【図２】
0003659206.tif 000003
【図３】
0003659206.tif 000004
【図４】
0003659206.tif 000005
【図５】
0003659206.tif 000006
【図６】
0003659206.tif 000007